(57)【特許請求の範囲】
【請求項１】
複数のチップサンプルを貼付けたチップサンプル貼付紙片と前記複数のチップサンプルの各々に対応した大判サンプルとを綴じた見本帳において、前記複数のチップサンプルに付された品番に対応した表示が大判サンプルに施され、前記大判サンプルが綴じ部を除く端縁にて端縁に沿って所定幅で切欠が形成されていると共に、上側の大判サンプルの切欠内に入るように前記複数のチップサンプルに付された品番に対応した表示が下側の大判サンプルに施されていることを特徴とする見本帳。
【請求項２】
複数のチップサンプルを貼付けたチップサンプル貼付紙片と前記複数のチップサンプルの各々に対応した大判サンプルとを綴じた見本帳において、前記複数のチップサンプルに付された品番に対応した表示が大判サンプルに施され、前記大判サンプルが綴じ部を除く端縁にて端縁に沿って所定幅で切欠が形成されていると共に、上側の大判サンプルの切欠内に入るように前記複数のチップサンプルに付された品番に対応した表示が下側の大判サンプルに施され、前記チップサンプル貼付紙片を見開いた状態において、前記チップサンプルに付された品番と大判サンプルに施された品番の両方を表示可能としたことを特徴とする見本帳。
【請求項３】
前記チップサンプル貼付紙片が見開けるように２つ折りないし４つ折りされた構成からなることを特徴とする請求項１、２のいずれかに記載の見本帳。
【請求項４】
前記チップサンプル貼付紙片が表紙を構成していることを特徴とする請求項１〜３のいずれかに記載の見本帳。
【請求項５】
前記チップサンプル貼付紙片および前記大判サンプルをバインダーにて綴じた構成からなることを特徴とする請求項１〜３のいずれかに記載の見本帳。
【請求項６】
前記大判サンプルの所定位置に切取線を入れて切り取りやすくしていることを特徴とする請求項１〜５のいずれかに記載の見本帳。
【請求項７】
大きさがＡ４判であることを特徴とする請求項１〜６のいずれかに記載の見本帳。
【発明の詳細な説明】
【０００１】
【発明の属する技術分野】
本発明は、化粧材等の見本帳に関する。
【０００２】
【従来の技術】
従来、化粧材等の見本帳としては、チツプサンプルを複数個紙片に貼着して構成した一覧用の見本帳、ないしは切り取り用の大判サンプルを複数枚重ねて綴じた構成の見本帳等が知られている。しかしながら、前者の一覧用の見本帳では、複数のチツプサンプルを比較しながら見比べることができるが、貼着しているチツプサンプルを剥がして設計図や計画書等に貼り替えられて使用されることが多く、チツプサンプルが欠けてしまつて見本帳の機能を果たさなくなるし、後者の見本帳では、綴じられている大判のサンプルを切り取つても見本帳としての機能は損なわれないが複数のサンプルを比較しながら見比べることができないという欠点があつた。
【０００３】
【発明が解決しようとする課題】
本発明の目的は、複数のチツプサンプルにて柄を比較しながら見比べることができると共に、必要によりサンプルを切り取つて見本として使用することのできる見本帳を提供することにある。
【０００４】
【課題を解決するための手段】
複数のチツプサンプルを貼付けたチツプサンプル貼付紙片と前記複数のチツプサンプルの各々に対応した大判サンプルとを綴じた見本帳において、前記複数のチツプサンプルに付された品番に対応した表示が大判サンプルに直に施されていることを特徴とする見本帳である。大判サンプルを綴じておくことにより、チツプサンプルを見比べて柄を決定した後に、必要とするサンプルを切り取つて見本として使用することができる。
【０００５】
前記チツプサンプル貼付紙片が見開けるように２つ折りないし４つ折りされた構成からなることを特徴とする上記の見本帳である。この場合、チツプサンプルの数が多くなつても見開いた面に全てチツプサンプルを貼着できるので比較しながら見ることができるので、柄の決定が容易となる。
【０００６】
前記チツプサンプル貼付紙片が表紙を構成していることを特徴とする上記の見本帳である。この場合に見本帳を簡素化して低価格化が可能である。
【０００７】
前記チツプサンプル貼付紙片および前記大判サンプル自体をバインダーにて綴じた構成からなることを特徴とする上記の見本帳である。この場合、バインダーに綴じられているチツプサンプル貼付紙片および大判サンプルを取り替えることができるし、大判サンプルを取り外して任意の形状に切り取り易いものとする。
【０００８】
前記大判サンプルが、綴じ部を除く端縁にて端縁に沿つて所定幅で切欠が形成されると共に前記切欠長さが上に重ねられる大判サンプルの方がより長く設定され、上側の大判サンプルの切欠内に入るように下側の大判サンプルの品番が表示された構成であることを特徴とする上記の見本帳である。この場合、チツプサンプルを見ながら、すぐに綴じられている大判サンプルの品番および綴じ位置を確認して容易に取り出すことができる。
【０００９】
前記大判サンプルの所定位置に切取線を入れて切り取りやすくしていることを特徴とする上記の見本帳である。この場合、必要とするサンプルを手で簡単に切り取つて使用することができるので便利である。
【００１０】
大きさがＡ４判であることを特徴とする上記の見本帳である。この場合、従来のＢ４サイズ等の大きな見本帳と異なり他の書類と一緒に保管し易くなる。
【００１１】
【発明の実施の形態】
図１は本発明の見本帳の実施例を示す横断面図、図２は図１の見本帳を開いた状態を示すもので、（イ）は平面図、（ロ）は（イ）におけるＩ−Ｉ断面図、（ハ）は（イ）におけるII-II 断面図、図３〜図５は他の実施例を示す横断面図、図６は図４、図５に示す実施例における図２（ハ）に対応する断面図であつて、１ａ，１ｂ，１ｃはチツプサンプル貼付紙片、２は裏表紙、３，３ａ，３ｂは大判サンプル、４，４ａ，４ｂは仕切紙片、５はバインダー、７は綴じ部、８はチツプサンプル、９，９ａ，９ｂは品番表示部をそれぞれ表す。
【００１２】
本発明の見本帳の実施例は図１に示すとおりであり、チツプサンプル貼付紙片１ａとチツプサンプル貼付紙片１ａの下面に折り重ねられたチツプサンプル貼付紙片１ｂとで構成される表紙と、裏表紙２との間に、仕切紙片４と複数枚の大判サンプル３を重ねた状態で挟み込んで綴じ部７にて冊子状に綴じた構成である。チツプサンプル貼付紙片１ａの下面とチツプサンプル貼付紙片１ｂの下面にはチツプサンプル８が貼着されており、チツプサンプル８に対応する枚数の大判サンプル３が綴じられている。
【００１３】
図２は図１に示す見本帳の表紙を構成するチツプサンプル貼付紙片１ａとチツプサンプル貼付紙片１ｂとを開いた状態を示しており、平面形状は図２（イ）に示すように、２つ折りされているチツプサンプル貼付紙片１ａとチツプサンプル貼付紙片１ｂとを見開いた状態の上面には、イメージゾーン別に分類された複数のチツプサンプル８が貼着され、その下部にはそれぞれのチツプサンプル８の品番が表示されている。チツプサンプル貼付紙片１ａの反対面には表紙の印刷が施され、チツプサンプル貼付紙片１ｂの反対面には見本帳のコンセプト等が表示されている。裏表紙２の上にはチツプサンプル８に対応する枚数の大判サンプル３が重ねて綴じられ、大判サンプル３の右側端下部には品番表示部９が設けられている。品番表示部９には綴じられている大判サンプル３の品番が全て表示されるように構成されている。裏表紙２の上面には各サンプルの性能データ等が表示されている。
【００１４】
開いた状態の断面形状は図２（ロ）に示すように、チツプサンプル貼付紙片１ａとチツプサンプル貼付紙片１ｂと綴じ代と裏表紙２とが連接された紙片を折り曲げて表紙および裏表紙２を構成し、裏表紙２の上には仕切片４とチツプサンプル８に対応する枚数の大判サンプル３を重ねて載置されて綴じ部７にて綴じられ、右側端下部には品番表示部９が形成れている。品番表示部９の断面形状は、図２（ハ）に示すように、仕切紙片４の右側端の下部が所定の幅で側端に沿つて上下方向に一定の長さに切り欠かかれており、その下に重ねられている大判サンプル３は最下枚を除いて右側端の下部が所定の幅で、且つ上下方向の長さは上の大判サンプルの方が長くなるように切り欠かれて、それぞれの大判サンプル３の切り欠かれた部分から下の大判サンプルの品番表示が見えるようになるので、品番表示部９にて全ての大判サンプルの品番を表示することができる。
【００１５】
図１に示す見本帳の構成とすることにより、チツプサンプル貼付紙片１ａとチツプサンプル貼付紙片１ｂを開いて、その見開いた面に貼着されているチツプサンプル８を見比べて好みの柄を容易に選定できる。大判サンプル３にて柄を確認したい場合ないしは見本が必要な場合には、裏表紙２の上に綴じられているチツプサンプル８の品番表示部９にて、選定したチツプサンプル８に対応する大判サンプル３を開いて、柄の確認ないしは鋏等で大判サンプル３を切り取ることにより、チツプサンプル８と同じサンプルを設計図や計画書等に貼り替えて使用することができる。大判サンプル３を切り取り易くするために、大判サンプル３の所定位置にミシン目等からなる切取線を形成しておけば、鋏等を使用せずに所定の大きさのサンプルを容易に切り取ることができる。
【００１６】
図３は他の実施例を示すものであり、チツプサンプル貼付紙片をチツプサンプル貼付紙片１ａとチツプサンプル貼付紙片１ｂとチツプサンプル貼付紙片１ｃの３枚の紙片を折り曲げ可能に連接して構成されている以外は図１に示すものと同じ構成である。この構成にすることにより、チツプサンプル貼付紙片１ａとチツプサンプル貼付紙片１ｂとチツプサンプル貼付紙片１ｃとを見開いた状態でのチツプサンプル貼付紙片の面積が大きくなるので、より多くのチツプサンプル８を貼り付けて表示することができる。この実施例においても、チツプサンプル８は見開いたチツプサンプル貼付紙片の上面にイメージゾーン別に分類して貼着されるので、チツプサンプル８の数が多くなつても対比して見比べ易くできる。チツプサンプル貼付紙片１ａとチツプサンプル貼付紙片１ｂとチツプサンプル貼付紙片１ｃのチツプサンプル８が貼着された面と反対面には、それぞれ表紙の印刷、性能データ等の表示、見本帳のコンセプト等が表示される。尚、本発明においては、チツプサンプルの数量やイメージゾーンの区分けにより、見本帳のチツプサンプル貼付紙片を４つ折りやそれ以上のものとしても構わないものである。
【００１７】
図４に更に他の実施例を示すものである。図４に示す実施例はチツプサンプル貼付紙片をチツプサンプル貼付紙片１ａとチツプサンプル貼付紙片１ｂとチツプサンプル貼付紙片１ｃの３枚の紙片を折り曲げ可能に連接して構成されているところは図３に示す実施例と同じ構成であるが、大判サンプル３は大判サンプル３ａおよび大判サンプル３ｂに仕切紙片４ａ，４ｂにて区分けされて綴じられている。図４では便宜上大判サンプルを２種類に区分けして示したが、実際には、チツプサンプル貼付紙片１ａ，１ｂ，１ｃに貼着されているチツプサンプル８のイメージゾーン別に区分けするのが好ましい。
【００１８】
図５に示す実施例は図４に示すものと本質的には同じであるが、チツプサンプル貼付紙片１ａ，１ｂ，１ｃにて表紙を構成するのではなく、チツプサンプル貼付紙片１ａ，１ｂ，１ｃと大判サンプル３ａ，３ｂと仕切紙片４ａ，４ｂとを、バインダー５を使用して挟み込んで綴じた構成である。この場合には、チツプサンプル貼付紙片１ａ，１ｂ，１ｃと大判サンプル３ａ，３ｂと仕切紙片４ａ，４ｂとを必要に応じて取り替えることができるので便利である。
【００１９】
図４、図５に示す実施例における品番表示部の断面形状は図６に示すとおりであり、チツプサンプル貼付紙片１ａ，１ｂ，１ｃに貼着されたチツプサンプル８のイメージゾーン別に区分してそれぞれの大判サンプル３ａ，３ｂの間に仕切紙片４ａ，４ｂにて仕切つて、チツプサンプル８のイメージゾーン別に品番表示部９ａ，９ｂが設けられて、品番表示部９ａ，９ｂにてイメージゾーン別の大判サンプル３ａ，３ｂの品番が一瞥できるようになつているので、チツプサンプル貼付紙片１ａ，１ｂ，１ｃを開いてチツプサンプル８を対比して柄を決定した後に、それに対応した大判サンプルを取り出すのがきわめて容易となる。
【００２０】
【発明の効果】
複数のチツプサンプルを貼付けたチツプサンプル貼付紙片と前記複数のチツプサンプルの各々に対応した大判サンプル自体をチツプサンプルの数だけ重ねて綴じ部にて冊子状に綴じ、大判サンプルの綴じ部以外の端縁に所定の幅であつて長さが上に重なるもの程長くした切欠が形成することにより品番表示部を形成し、チツプサンプル貼付紙片を２つ折りないしはそれ以上にして見開き頁の面積を大きくして貼着できるチツプサンプルの数を多くすると共に、チツプサンプル貼付紙片を表紙とするかないしは別体のバインダーに綴じ込み式にした見本帳とすることにより、全てのチツプサンプルをチツプサンプル貼付紙片の見開き１頁に纏めて表示することができるのでチツプサンプルを比較しながら見比べることができる、必要とするサンプルを大判サンプルから切り取つて設計図や計画書等に貼り替えて使用することができる、大判サンプルの品番の綴じ位置が一目でわかるので大判サンプルを取り出し易い等の特徴をもつ見本帳となるものである。また、全体をＡ４判のサイズとすることにより他の書類等と一緒に保管するのに都合がよいという特徴をも有するものとなる。
【図面の簡単な説明】
【図１】  本発明の見本帳の実施例を示す横断面図である。
【図２】  図１の見本帳を開いた状態を示すもので、（イ）は平面図、（ロ）は（イ）におけるＩ−Ｉ断面図、（ハ）は（イ）におけるII-II 断面図である。
【図３】、
【図４】、
【図５】  他の実施例を示す横断面図である。
【図６】  図４、図５に示す実施例における図２（ハ）に対応する断面図である。
【符号の説明】
１ａ，１ｂ，１ｃ          チツプサンプル貼付紙片
２                        裏表紙
３，３ａ，３ｂ            大判サンプル
４，４ａ，４ｂ            仕切紙片
５                        バインダー
７                        綴じ部
８                        チツプサンプル
９，９ａ，９ｂ            品番表示部
【図１】
0003667713.tif 000002
【図２】
0003667713.tif 000003
【図３】
0003667713.tif 000004
【図４】
0003667713.tif 000005
【図５】
0003667713.tif 000006
【図６】
0003667713.tif 000007